(57)【特許請求の範囲】
【請求項１】
サブスクリプション提供部と、ダイナミックプライス演算部とを備えたサーバーを有し、
前記ダイナミックプライス演算部は予約対象の時価を算出し、
前記サブスクリプション提供部は、会員のクレジット残高を参照し、このクレジット残高が前記予約対象の時価より多かった場合に、前記会員に対し、前記予約対象の時価を開示しない状態で、この予約対象への予約を可能な状態とする、予約システム。
【請求項２】
前記ダイナミックプライス演算部は、売れ残り予約対象数を予約期日までの残り時間で割り、これが直近の単位時間内の成約枚数より多い場合に、前記予約対象の時価を下げ、そうでない場合には前記予約対象の時価を上げる、請求項1に記載の予約システム。
【請求項３】
前記サブスクリプション提供部は、会員に対し、棒グラフ状のゲージまたは色での表現で、前記クレジット残高を量的に開示する、請求項1に記載の予約システム。
【請求項４】
サブスクリプション提供部とダイナミックプライス演算部とを備えたサーバーを有する予約システムを用い、前記ダイナミックプライス演算部は予約対象の時価を算出し、前記サブスクリプション提供部は、会員のクレジット残高を参照し、このクレジット残高が前記予約対象の時価より多かった場合に、会員に対し、前記予約対象の時価を開示しない状態で、この予約対象への予約を可能な状態とする、予約方法。
【発明の詳細な説明】
【技術分野】
【０００１】  本発明は、予約システム及び予約方法に関する。
【背景技術】
【０００２】  コンサートなどの予約システムは、様々な手法が採用されている。特に最近では、シーズンや時間帯など需要の大きさによってチケットの価格が変動する変動料金制、すなわちダイナミックプライシングが取り入れられ、その料金を決定するアルゴリズムに人工知能、いわゆるAIを利用するケースも増えている。このようなダイナミックプライシングにより、コンサートなどの空席を減らしつつ、収益の最大化を図ることが期待されている。【０００３】   例えば、特許文献1には、使用機械の中古販売価格を取得し、当該中古販売価格を更新可能な販売価格取得更新部と、購入希望者に対する使用機械の中古販売価格の提示を許可するか否かを選択可能な提示可否選択部と、提示可否選択部により中古販売価格の提示を許可した場合に、使用機械の中古販売価格を購入希望者に提示する販売価格提示部とを備える売買支援システムが開示されている。
【先行技術文献】
【特許文献】
【０００４】
【特許文献１】特開2018-097512号公報
【発明の概要】
【発明が解決しようとする課題】
【０００５】  特許文献1の売買支援システムは、ユーザに対して自身が使用する使用機械の中古販売価格を逐次把握させながら、購入希望者に対して使用機械の中古販売価格を適切なタイミングで提示して当該使用機械の購入の動機付けを行うことができる。  しかしながら、このような売買支援システムや既存のダイナミックプライシングのアルゴリズムをコンサートなどのチケット予約システムに応用した場合、少なくとも、販売価格を顧客に開示することが必須となる。その場合、チケット価格が通常よりも安くなってしまったり高くなりすぎた際には、そのコンサートを行うアーティストのブランディングやイメージに悪影響を及ぼす可能性がある。  本発明は、上記の事情に鑑みてなされたものであり、価格を顧客に開示することなく、ダイナミックプライシングによるメリットを販売者に提供する、予約システム及び予約方法を実現することを目的とする。
【課題を解決するための手段】
【０００６】  本発明の予約システムは、サブスクリプション提供部と、ダイナミックプライス演算部とを備えたサーバーを有し、前記ダイナミックプライス演算部は予約対象の時価を算出し、前記サブスクリプション提供部は、会員のクレジット残高を参照し、このクレジット残高が前記予約対象の時価より多かった場合に、会員に対し、この予約対象への予約を可能な状態とする。【０００７】  この際、前記サブスクリプション提供部は、会員に対し、予約対象の時価を開示しない状態で予約画面の表示を行ってもよい。【０００８】
前記ダイナミックプライス演算部 は、売れ残り予約対象数を予約期日までの残り時間で割り、これが直近の単位時間内の成約枚数より多い場合に、前記予約対象の時価を下げ、そうでない場合には前記予約対象の時価を上げてもよい。
【０００９】  前記サブスクリプション提供部は、会員に対し、棒グラフ状のゲージまたは色での表現で、残りのクレジットを量的に開示してもよい。【００１０】  会員の保有クレジットが前記予約対象の時価に満たない場合もランダムに前記予約対象を予約を可能な状態としてもよい。【００１１】  本発明の予約方法は、予約対象の時価を算出し、会員のクレジット残高を参照し、このクレジット残高が前記予約対象の時価より多かった場合に、会員に対し、前記予約対象の時価を開示しない状態で、この予約対象への予約を可能な状態とする。
【発明の効果】
【００１２】  本発明によれば、ダイナミックプライシングとサブスクリプションによる予約とを組み合わせたことにより、価格を顧客に開示することなく、ダイナミックプライシングによる利益最大化メリットを販売者に提供する、予約システム及び予約方法を提供することができる。
【図面の簡単な説明】
【００１３】
【図１】本発明の実施形態の予約システムの構成を示す概念図。
【図２】本発明の実施形態の予約システムにおける演算処理を示すフローチャート。
【図３】イベント時価の変動を示す概念図。
【図４】サブスクライバーに示される予約画面の例を示す図。
【発明を実施するための形態】
【００１４】  本発明の実施形態の予約システムについて説明する。図１は、本発明の実施形態の予約システムの構成を示す概念図である。図１に示すように、サーバー１は、サブスクリプション提供部２と、ダイナミックプライス演算部３とを備える。これらは必ずしも物理的に別体である必要はない。サーバー１は、インターネット回線を通じてサブスクライバー端末４から接続される。
【００１５】  図２は、本発明の実施形態の予約システムにおける演算処理を示すフローチャートである。図において左側の列はサブスクリプション提供部２における処理、右側の列はダイナミックプライス演算部３における処理を示す。
【００１６】  本発明の実施形態の予約システムでは、以下に説明する通り、定額会員制で、会員が、予約対象であるイベントに参加でき、イベントの主催者は空席を減らしつつ利益を最大化できるというサービスを実現する。この説明中、サブスクライバーとは会員であり、イベンターとはイベントの主催者であり、クレジットとは会員に紐付いてデータベースに記録され、会員が保有する貨幣的価値のことであり、イベント時価とはイベントに紐付いて記録される価値、すなわち予約対象の価値のことである。
【００１７】  概要として、本発明の実施形態の予約システムでは、サブスクライバーは、基本的には月額などの定額制で、あらかじめクレジットを購入し、サブスクリプション提供部２において、クレジットの額と、ダイナミックプライス演算部３により算出されたイベント時価と、を比較し、クレジット内に収まるイベント時価のイベントであれば予約できるというサービスを提供する。このとき、イベント時価はサブスクライバーに表示されることはない。
【００１８】  図３は、イベント時価の変動を示す概念図である。イベント時価はダイナミックプライス演算部３によりリアルタイムに更新され、需要が大きい時に価格は上昇、需要が小さい時に価格は減少、という基本的な市場概念に乗っ取って計算される。具体的には、チケットのはけ具合、天気、その他の要素に基づき、イベンターの利益が最大化するように算出される。
【００１９】  図４は、サブスクライバーに示される画面の例である。このようにサブスクライバーには、利用履歴や興味に応じて適切なイベントが表示され、サブスクライバーは詳細を確認して、参加したい場合は予約ボタンをクリックするだけで予約することができる。このとき、サブスクライバーはクレジットを保有しており、このクレジットの残高で参加可能なイベント時価を有するイベントのみが、予約可能な状態でこの画面 に表示される。画面を更新するたびに表示されるイベント が入れ替わってもよい。
【００２０】  ここで、サブスクライバーは自分の残りクレジットやイベント時価を数値として知ることはできない。イベンターは、イベントへの参加予約が入った時点で、イベント時価がいくらで成約したのかを確認することができる 。
【００２１】  すなわち、イベンターは自分の提供物であるイベントの最低価値を設定し、サブスクライバーは自分の支払う意思のある金額の最大金額を支払えば、その後、イベント時価の決定をダイナミックプライス演算部３が行うため、イベンター及びサブスクライバーの双方が成約時のイベント時価をコントロールできないようにすることで、イベントのブランド価値を保ちつつ、お互いに利益が最大化するように取引を取りまとめることができる。
【００２２】  このようなサービスにおいて行われる処理について詳細に説明する。図２に示すように、サブスクライバーのクレジット残高が決まっている状態（S11）で、かつイベント時価が決まっている状態（S31)であって、再計算が必要である場合(s32)、ダイナミックプライス演算部３からサブスクリプション提供部２に対し、クレジット残高、予約状況等のパラメータのリクエストが行われる(s33)。これに対し、サブスクリプション提供部２はダイナミックプライス演算部３へ、クレジットの残高、予約状況その他パラメータを渡す(s22)。
【００２３】
ここで、売れ残りチケット数をイベント当日までの残り日数で割り、これが直近24時間の成約枚数より多い場合、需要が低く、このペースでは完売しないとの判断がなされるから(s34)、イベント時価を下げる処理が行われる(s35)。一方、そうでない場合は、需要が高く、このペースでは早期に完売してしまうとの判断がなされるから、イベント時価を上げる処理が行われる(s36)。
【００２４】  また、複数のサブスクライバーの平均残りクレジット額が基準値より多い場合、イベントの需要が低いと考えられる(s37)から、イベント時価を下げることで需要を大きくする処理が行われる (s38)。
【００２５】  このようにしてイベント時価が決定した状態(s31)で、サブスクライバーが予約できるかを判断するため、ダイナミックプライス演算部３は、サブスクリプション提供部２へ、イベント時価を渡す(s39)。一方、サブスクリプション提供部２は、サブスクライバーのクレジット残高を参照し(s12)、渡されたイベント時価と比較する。イベント時価よりもクレジットの残高が多かった場合(s13)には、サブスクライバーに対し、図４に示すように、このイベントの表示 がなされ、予約可能な状態となる。サブスクライバーがこのイベントを予約した場合には(s14)、サブスクライバーのクレジットが変化し(s15)、具体的には、イベントの価値分のクレジットが引かれる。これと同時に予約状況が変化し(s16)、すなわち、サブスクライバーの予約が確定する。
【００２６】  このようにして、本発明の予約システムによれば、定額会員制で、会員が、多くのイベントに参加でき、イベントの主催者は空席を減らしつつ利益を最大化でき、かつ、会員に対してはイベントの時価を見せることがなく、ブランド価値を保つことができるというサービスを実現することができる。
【００２７】  本発明は、さまざまなオプションを持って行うことができる。上述の説明では、イベントの予約に本発明を適用する場合について説明したが、ほかにも、旅客機の座席、ホテルの部屋、飲食店などの予約を予約対象とすることができる。
【００２８】  また、イベント時価はダイナミックプライス演算部３により決定されるが、その値幅の上限及び下限を、イベンターに決定させることができる。イベンターは、値幅を持たせるのが難しい場合、値幅の上限及び下限を同一にすることで、通常の正規チケット販売として活用することができる。当然ながら、イベンターは、このシステムで販売するチケットの枚数を設定することができる。また、値幅の上限及び下限を設定せず、また下限を０とすることもできる。
【００２９】  イベント時価の決定因子は、上述したものに限られず、天気、ニュース、他のイベントの動員などを因子とすることができ、従来行われているダイナミックプライシングの手法を含むさまざまな演算手法により、イベント時価を決定することができる。
【００３０】  上述の説明ではサブスクライバーの保有するクレジットはサブスクライバーへ開示されないが、棒グラフ状のゲージや、色での表現などで、残りのクレジットを量的に開示する運用もできる。
【００３１】  上述の説明では、イベントへの参加予約が入った時点で、イベンターがイベント時価がいくらで成約したのかを確認することができる 運用としているが、イベンターがイベント時価がいくらで成約したのかを確認することができない運用とすることもできる。
【００３２】  上述の説明では、売れ残りチケット数をイベント当日までの残り日数で割り、これを直近２４時間の成約枚数 と比較しているが、単位時間を一日とせず、例えば３時間とする運用も可能である。
【００３３】  上述の説明では、予約可能なイベントのみを予約画面に表示する運用としているが、予約不可能なイベントも予約画面に表示することを妨げるものではない。
【００３４】  サブスクライバーの保有クレジットは、前月の消費量により当月に持ち越したり、最近の利用が少ないサブスクライバーに意図的にクレジットを増やすなど、様々な方法で増減させることもできる。
【００３５】  また、サブスクライバーの保有クレジットがイベント時価に満たない場合もランダムにイベントをサブスクライバーの予約画面に表示させて、ルーレットのような要素を加えることで、サブスクライバーへのお得感や射幸心を喚起することもできる。
【要約】価格を顧客に開示することなく、ダイナミックプライシングによるメリットを販売者に提供する、予約システム及び予約方法であって、サブスクリプション提供部と、ダイナミックプライス演算部とを備えたサーバーを有し、前記ダイナミックプライス演算部は予約対象の時価を算出し、前記サブスクリプション提供部は、会員のクレジット残高を参照し、このクレジット残高が前記予約対象の時価より多かった場合に、会員に対し、前記予約対象の時価を開示しない状態で、この予約対象への予約を可能な状態とする。【図１】
0006712741.tif 000002
【図２】
0006712741.tif 000003
【図３】
0006712741.tif 000004
【図４】
0006712741.tif 000005